(57)【要約】【課題】  遊技者によるストップボタン等の操作に耐え得る強度を備えた、遊技球を遊技媒体とするスロットマシンを提供する。【解決手段】ストップボタン４３〜４５等が前面に配設されてなる遊技操作部ユニット４９の両端に、弾性連結腕部５５，５５を後方突設し、その先端に係合爪５５ａ，５５ａを形成した。そして、当該弾性連結腕部５５，５５を、前枠４の貫通装着口４６と裏機構板５の貫通口５６に貫通させ、かつ係合爪５５ａ，５５ａを外枠２の後端に係止させて遊技操作部ユニット体４９を前枠４の前面で保持した。【選択図】  図３
2006020764.tif 000002
【特許請求の範囲】
【請求項１】
遊技島に起立状に配設される外枠と、該外枠の前面開口部を覆う遊技機本体とからなり、
該遊技機本体が、
外周面に複数の図柄を具備した複数の回転ドラムと、
回転ドラムが臨む窓口を具備し、かつ外枠の前面に開閉可能に枢設された前枠と、
前枠の背面に開閉可能に枢設された、遊技球が通過する球通路を具備する裏機構板と、
前枠の前方に突出して上方開口した、遊技媒体である遊技球を貯留する貯留皿と、
遊技者の操作により、少なくとも回転ドラムを回転始動若しくは回転停止する遊技操作部と
を備えたスロットマシンにおいて、
複数の遊技操作部が前面に配設されてなる遊技操作部ユニット体を備えると共に、
該遊技操作部ユニット体に連結腕部が後方へ突設され、前枠及び／又は裏機構板に設けられた、前後方向に貫通する貫通口に前記連結腕部が挿通され、かつ挿通された当該連結腕部が外枠に接続されて、遊技操作部ユニット体が前枠前面で保持されてなることを特徴とするスロットマシン。
【請求項２】
遊技操作部ユニット体の両側縁のうち、一側縁にのみ連結腕部が後方突設されると共に、他側縁が外枠に軸支されて、当該遊技操作部ユニット体が、外枠に対して開閉可能に枢設されてなることを特徴とする請求項１記載のスロットマシン。
【請求項３】
遊技操作部ユニット体の連結腕部を、可撓性の弾性連結腕部とすると共に、弾性連結腕部の先端に係合爪を形成してなり、貫通口に挿通された弾性連結腕部の係合爪が、外枠の後端に係止されてなることを特徴とする請求項１又は請求項２記載のスロットマシン。
【請求項４】
遊技操作部ユニット体が、貯留皿の前面を覆う位置で、保持されてなることを特徴とする請求項１乃至請求項３のいずれかに記載のスロットマシン。
【発明の詳細な説明】
【技術分野】
【０００１】
本発明は、遊技球を遊技媒体とするスロットマシンに関する。
【背景技術】
【０００２】
既に、遊技媒体として遊技球を用いるスロットマシンはいくつか提案されている。かかるスロットマシンは、遊技媒体として通常使用されるメダルの替わりに、遊技球が遊技機に投入されると回転ドラムが回転始動するものである。そして、回転始動した回転ドラムを遊技者が回転停止させ、所定の当り態様が表示されると、所定個数の遊技球が払い出される構成となっている。こうしたスロットマシンは、パチンコ機が配設される遊技島に取り付け可能とするため、その遊技島に起立状に配設される外枠と、外枠の前面開口部を覆う遊技機本体とで構成している。そしてさらに、パチンコ機とほぼ同じ構成の上皿部材を備えている。この上皿部材は、合成樹脂材料からなり、貯留皿が一体的に成形された構成が一般的である。
【０００３】
一方、このような遊技球を用いるスロットマシンも、メダルを用いるスロットマシンと同様に、１ゲーム当りの賭け数を決定するためのベットボタン、回転ドラムを回転始動させるためのスタートレバー、及び回転停止させるためのストップボタンを備えている。そして、その配設位置としては、上述の上皿部材の前面位置が提案されている（例えば、特許文献１参照。）。これは、遊技者が遊技球を用いるスロットマシンで遊技するに際し、操作性に関して違和感を無くすためであって、メダルを用いるスロットマシンでは、遊技者のほぼ胸の高さ位置にストップボタン等が設けられているところ、遊技球を用いるスロットマシンにあっては、上皿部材の前面位置が、遊技者のほぼ胸の高さ位置に相当することによるものである。
【０００４】
【特許文献１】特開２００１−２０４８８１号公報
【発明の開示】
【発明が解決しようとする課題】
【０００５】
しかしながら、パチンコ機には押しボタン型の遊技操作部は元々存在せず、上皿部材の取り付け構造にあっては、遊技者の押しボタン操作により生ずる衝撃に対して何ら強度対策を講じていない。実際、上皿部材は上述のように合成樹脂材料からなることが一般的であり、従来構成であると、押しボタン操作のたびに上皿部材から大きな衝撃音が発せられることとなる。また、ストップボタンを叩くような操作態様も見受けられ、この場合は上皿部材が破損するおそれもある。したがって、パチンコ機と同様の構成に単にストップボタン等を配設しただけでは、強度上の問題が解決されないこととなる。
【０００６】
そこで、本発明は、遊技者によるストップボタン等の操作に耐え得る強度を備えた、遊技球を遊技媒体とするスロットマシンを提供することを目的とする。
【課題を解決するための手段】
【０００７】
本発明は、遊技島に起立状に配設される外枠と、該外枠の前面開口部を覆う遊技機本体とからなり、該遊技機本体が、外周面に複数の図柄を具備した複数の回転ドラムと、回転ドラムが臨む窓口を具備し、かつ外枠の前面に開閉可能に枢設された前枠と、前枠の背面に開閉可能に枢設された、遊技球が通過する球通路を具備する裏機構板と、前枠の前方に突出して上方開口した、遊技媒体である遊技球を貯留する貯留皿と、遊技者の操作により、少なくとも回転ドラムを回転始動若しくは回転停止する遊技操作部とを備えたスロットマシンにおいて、複数の遊技操作部が前面に配設されてなる遊技操作部ユニット体を備えると共に、該遊技操作部ユニット体に連結腕部が後方へ突設され、前枠及び／又は裏機構板に設けられた、前後方向に貫通する貫通口に前記連結腕部が挿通され、かつ挿通された当該連結腕部が外枠に接続されて、遊技操作部ユニット体が前枠前面で保持されてなることを特徴とするスロットマシンである（請求項１）。
【０００８】
このように、遊技操作部を遊技操作部ユニット体として構成し、かつこの遊技操作部ユニット体を外枠に接続する構成とすることにより、遊技者が遊技操作部を操作することによって生じた衝撃が連結腕部を介して外枠に直接伝達されることとなる。したがって、この遊技操作部で発生する振動が遊技機本体に伝達し難くなり、遊技操作部の操作により生ずる衝撃を緩和することができる。また、外枠は遊技島に強固に固定されているため、遊技操作部ユニット体の取り付け強度も向上し、遊技操作部を叩くような操作態様にも対抗できることとなる。ここで、遊技操作部ユニット体を前枠前面に直接取り付ける構成が提案され得るものの、かかる構成は操作による振動が前枠に直接伝わってしまうため問題が解決されない。また、前枠は、外枠に開閉可能に取り付けられた構成であるため、外枠に強固に配設されているとは言えず、遊技操作部ユニット体の取り付け強度に問題が生じてしまう。
【０００９】
また、上記構成にあって、遊技操作部ユニット体の両側縁のうち、一側縁にのみ連結腕部が後方突設されると共に、他側縁が外枠に軸支されて、当該遊技操作部ユニット体が、外枠に対して開閉可能に枢設されてなる構成が提案される（請求項２）。
【００１０】
かかる構成とすることにより、遊技操作部ユニット体の裏面が、遊技操作部ユニット体を前枠前面で保持したまま露出させることが可能となるため、遊技操作部ユニット体に配設された遊技操作部のメンテナンスの作業性が向上することとなる。
【００１１】
また、遊技操作部ユニット体の連結腕部を、可撓性の弾性連結腕部とすると共に、弾性連結腕部の先端に係合爪を形成してなり、貫通口に挿通された弾性連結腕部の係合爪が、外枠の後端に係止されてなる構成が提案される（請求項３）。
【００１２】
かかる構成にあっては、弾性連結部材を、係合爪と貫通口の内壁とを接触させながら貫通口に圧入し、係合爪が貫通口を通過すると弾性連結腕部の弾縮状態が解除されて係合爪が外枠の後端に係止されることとなる。かかる構成とすることにより、簡易構造で容易に遊技操作部ユニット体を前枠前面で保持させる、又は遊技機本体から離脱させることが可能となり、遊技操作部ユニット体の裏面を容易に露出させて、迅速に遊技操作部のメンテナンスをすることができる。
【００１３】
また、遊技操作部ユニット体が、貯留皿の前面を覆う位置で、保持されてなる構成としても良い（請求項４）。
【００１４】
ここで、貯留皿は一般的に遊技者のほぼ胸の高さ位置に設けられているところ、かかる構成とすることにより、遊技操作部を遊技者のほぼ胸の高さ位置に配設することが可能となる。
【発明の効果】
【００１５】
本発明のスロットマシンは、遊技操作部ユニット体の連結腕部を外枠に接続して、遊技操作部ユニット体を前枠前面に保持してなる構成としたため（請求項１）、遊技者が遊技操作部を操作することによって生ずる衝撃を外枠に伝達させることができ、前枠等に振動が伝わることを緩和することができる。これにより、遊技機本体の強度上の問題を解決できる。また、遊技島に強固に固定された外枠に遊技操作部ユニット体を取り付ける構成としたため、遊技操作部ユニット体の取り付け強度が向上し、あらゆる操作態様に対抗できる効果がある。
【００１６】
また、遊技操作部ユニット体が、外枠に開閉可能に軸支されてなる構成とした場合は（請求項２）、遊技操作部ユニット体を前枠前面に位置させながら、当該遊技操作部ユニット体の裏面を露出させることが可能となるため、遊技操作部ユニット体に配設された遊技操作部のメンテナンスの作業性が飛躍的に向上する利点がある。
【００１７】
また、弾性連結腕部の係合爪を外枠の後端に係止させた構成とした場合は（請求項３）、簡易構造で容易に遊技操作部ユニット体を前枠前面に保持し、又は遊技機本体から離脱させることが可能となり、遊技操作部ユニット体の裏面を容易に露出させて、迅速に遊技操作部のメンテナンスをすることができる効果がある。
【００１８】
また、遊技操作部ユニット体が、貯留皿の前面を覆う位置で、保持されてなる構成とした場合は（請求項４）、遊技操作部を遊技者のほぼ胸の高さ位置に配設することができ、メダルを用いるスロットマシンとほぼ同様な操作性を実現できる効果がある。
【発明を実施するための最良の形態】
【００１９】
<第一実施形態例>
本発明にかかるスロットマシン１は、遊技媒体として遊技球を用いるものであり、パチンコ機用の遊技島に対してパチンコ機同様に取り付けられる。具体的には、このスロットマシン１は、図１〜３に示されるように、遊技島に起立状に配設される矩形状の外枠２と、この外枠２の前面開口部を覆う遊技機本体３とで構成される。
【００２０】
さらに前記遊技機本体３は、外枠２の前面に開閉可能に枢設される前枠４を備えている。この前枠４は、外枠２の前面の左側縁上に設けられたヒンジ部材９，９を介して外枠２に接続されている。また、遊技機本体３は、前枠４の後方位置に設けられた、三つの回転ドラム１２ａ，１２ｂ，１２ｃも具備している。
【００２１】
また、前枠４には、透明板６が装着される窓口４７が形成されており、この窓口４７に回転ドラム１２ａ〜１２ｃや表示器１９等が臨むことによって、遊技者が透明板６を介して回転ドラム１２ａ〜１２ｃの外周面に配設された図柄等を視認できるような構成となっている。
【００２２】
また、前記窓口４７の直下位置には、遊技球を貯留する所定容積の貯留皿８（図２，３参照）が設けられ、当該前枠４の前方に貯留皿８の球投入開口部３０が開口している。そして、いわゆるクレジット数が所定の上限数を超えた場合に、当該貯留皿８に遊技球が払い出される構成となっている。また、その内底面８１には、取込口８５（図５参照）が形成されており、貯留された遊技球が所定個数を一単位として当該取込口８５を介して遊技島の球回収装置（図示省略）に排出される。なお、貯留皿８の取り付け構造については後述する。
【００２３】
さらに、この貯留皿８の前方には、当該貯留皿８の前面を覆うようにして、ほぼ直方体状の遊技操作部ユニット体４９が配設されている。この遊技操作部ユニット体４９は、遊技者が操作する各種ボタン等（遊技操作部）を直方体状の筐体に複数配設することにより構成されている。なお、この遊技操作部ユニット体４９については、本発明の要部であるため後で詳述する。
【００２４】
また、前枠４の最下位置には、球出口１８（図３参照）が形成され、この球出口１８に臨むように補助貯留皿１４が配設される。この球出口１８は、前記貯留皿８と連通しており、貯留皿８が満杯である場合に、この球出口１８を介して、貯留皿８の遊技球が補助貯留皿１４内に流入する構成である。なお、貯留皿８から補助貯留皿１４へ遊技球を流入させる機構は、既存のパチンコ機の構成を好適に用いることができる。
【００２５】
さらに、図３に示されるように、前枠４の背面には、ヒンジ部材１０を介して裏機構板５が開閉可能に枢設されている。この裏機構板５は、合成樹脂材料からなり、回転ドラム１２ａ〜１２ｃを視認可能とする裏機構板窓口５１が中央に形成される。また、その前面又は背面には、遊技球が通過する球通路（図示省略）や電子回路が組み込まれた基板（図示省略）が複数備え付けられる。なお、本実施形態例にかかるスロットマシン１にあっては、この裏機構板５に前記貯留皿８が固着されている。
【００２６】
さらに詳述すると、図３に示されるように、上述の前枠４には、窓口４７の直下位置に横長矩形状の貫通装着口４６が形成されている。この貫通装着口４６は、前後方向に貫通している。また、その形成位置は、遊技者のほぼ胸の高さ位置に相当する。なお、この貫通装着口４６により、本発明にかかる前枠の貫通口が構成される。
【００２７】
一方、前記裏機構板５の裏機構板窓口５１内に、裏機構板面から前後方向に突出するようにして所定容積の貯留皿８が載置されている。この貯留皿８は、合成樹脂材料からなり、貯留皿８の横幅（長手方向）が、裏機構板窓口５１の枠幅とほぼ同一に設定されている。そして、裏機構板窓口５１の幅内に貯留皿８が密嵌されて固着されている。なお、貯留皿８が備えられる高さ位置は、遊技者のほぼ胸の高さ位置に相当する。
【００２８】
このように、貯留皿８が裏機構板５に跨るように前後方向にはみ出して保持された構成にあって、前枠４と裏機構板５とを遮閉状態とすると、図２，４に示されるように、前方突出した貯留皿８の突出部分が前枠４の貫通装着口４６を貫通し、前枠４の前面から貯留皿８の前部が突出することとなる。そして、この前枠４の前方で上方に開口した部位が、遊技者が遊技球を貯留皿８内に投入することを可能にする球投入開口部３０となる。
【００２９】
また、図５〜７に示されるように、貯留皿８の内底面８１には、取込口８５と球整列溝８２とが設けられている。この球整列溝８２は左右方向に形成されており、貯留皿８に投入された遊技球は、この球整列溝８２に流入して一列状に整列し、この球整列溝８２の右端に形成された取込口８５から、所定数（５個）を一単位として後述の取込球通過用樋部材６９に取り込まれることとなる。
【００３０】
また、図５，７に示されるように、取込口８５には、補助貯留皿１４にある球出口１８に連通する球抜用樋部材８４が配設されている。この球抜用樋部材８４は、球整列溝８２の先頭の遊技球を臨む位置に開口しており、当該開口部に開閉可能に設けられた開閉部材８８の開閉制御により、適時に補助貯留皿１４へ排出することができる構成となっている。
【００３１】
また、図７に示されるように、貯留皿８の底面からは、樹脂部材により構成されるモータ台座６２が垂下され、このモータ台座６２に、スプロケット７１を回転駆動する取込モータ７２が固着されている。
【００３２】
前記スプロケット７１は、その周部に、遊技球一個を収容可能な凹部７０を三つ等間隔に備え、各凹部７０の間を、遊技球を係止する係止部７３とするものである。そして、このスプロケット７１が、図６，７に示されるように、中心に形成された軸孔７４が取込モータ７２の回転軸７５に軸着され、取込口８５の直下に位置している。
【００３３】
かかる構成にあって、ステッピングモータからなる取込モータ７２が、所定制御信号に応じた回転角度でスプロケット７１を回転駆動させると、順次その凹部７０に球整列溝８２に整列する遊技球が収容され、取込口８５に配設された取込球通過用樋部材６９に送り込まれる。そして、遊技球は、取込球通過用樋部材６９の案内作用によって、遊技機本体３の背面に案内されて、遊技島の球回収装置へと排出される。なお、スプロケット７１及び取込モータ７２により球取込装置３５が構成される。
【００３４】
次に、本発明の要部について説明する。
本発明は、図３，４に示されるように、例えば前枠４に直接、ストップボタン４３〜４５等の遊技操作部を設けるのでなく、別部材としてほぼ直方体状の筐体に遊技操作部を設けて遊技操作部ユニット体４９として構成することを特徴としている。具体的には、遊技操作部ユニット体４９の上面に、ベットボタン４２等が設けられ、正面に、左側からスタートレバー４１、左ストップボタン４３、中ストップボタン４４、右ストップボタン４５がそれぞれ設けられている。なお、ストップボタン４３〜４５は、ストップボタン４３〜４５が横並びに配設されるストップボタンパネル４０を遊技操作部ユニット体４９の正面の所定位置にはめ込むことにより構成している。なお、遊技機操作部ユニット体４９の前面には、上面及び正面が含まれる。また、背面は開放されてなり、各種ボタンのメンテナンスを可能としている。
【００３５】
ここで、ベットボタン４２は、１ゲーム当りの賭数を決定するものであり、このボタン操作により貯留皿８内の遊技球が所定個数だけ自動的に遊技機内へ取り込まれる。
【００３６】
スタートレバー４１は、回転ドラム１２ａ〜１２ｃを回転始動するものであり、スタートレバー４１を操作すると、これを契機として各回転ドラム１２ａ〜１２ｃに連繋された回胴装置（図示省略）が駆動開始し、これに伴って回転ドラム１２ａ〜１２ｃが前方に所定速度で回転する。
【００３７】
各ストップボタン４３〜４５は、回転ドラム１２ａ〜１２ｃを回転停止するものであり、回転ドラム１２ａ〜１２ｃの回転中にこれらのボタンを押圧操作すると、この操作タイミングに基づいて回胴装置が各ボタン４３〜４５に対応する回転ドラム１２ａ〜１２ｃを停止させる。なお、回転ドラム１２ａ〜１２ｃを回転始動、又は回転停止する構成は、従来構成を好適に用いることができる。
【００３８】
さらに、遊技操作部ユニット体４９は、外枠２に接続している。
図３に示されるように、遊技操作部ユニット体４９の両側面には、それぞれ可撓性の弾性連結腕部５５，５５が後方突設している。そして、各弾性連結腕部５５の先端には、側方に突出した係合爪５５ａを形成している。なお、遊技操作部ユニット体４９の弾性連結腕部５５は、可撓性の金属材料で構成するのが好適である。
【００３９】
一方、貫通装着口４６の内側面と、これに連成する外枠２の内側面とが面一状となるように貫通装着口４６の横幅長さを設定している。また、裏機構板５の左右の外側縁には、側方が開放した貫通口５６が形成されている。
【００４０】
ここで、弾性連結腕部５５，５５相互の離間距離は、貫通装着口４６の横幅とほぼ同じとし、遊技操作部ユニット体４９を、弾性連結腕部５５，５５から貫通装着口４６へ挿入すると、両係合爪５５ａ，５５ａが貫通装着口４６の内側面に当接して、弾性連結腕部５５，５５がわずかに内方に湾曲するようにしている。そして、この付勢力に抗してさらに遊技操作部ユニット体４９を圧入すると、弾性連結腕部５５が裏機構板５の貫通口５６を通過し、図４に示されるように、係合爪５５ａが外枠２の後方に抜き出て弾性連結腕部５５の弾縮が解除される。そして、外枠２の後端に、係合爪５５ａ，５５ａが係止されることとなる。これにより、遊技操作部ユニット体４９が外枠２に接続されて前枠４前面で保持されることとなる。
【００４１】
なお、裏機構板５と前枠４とを遮閉状態とした場合は、両弾性連結腕部５５，５５の間にある切欠部３３位置に、裏機構板５に固定された貯留皿８が位置することとなる。
【００４２】
一方、遊技操作部ユニット体４９を前枠４から離脱させるときは、係合爪５５ａ，５５ａの係合を解除して、遊技操作部ユニット体４９を貫通装着口４６から抜き出すこととなる。
【００４３】
<第二実施形態例>
なお、遊技操作部ユニット体４９を外枠２に固定する構成としては、以下のような構成としても良い。
例えば、図８に示されるように、弾性連結腕部５５の先端部を外枠２の内面に付勢させると共に、固定ねじ５５ｂを水平方向に貫通させて弾性連結腕部５５と外枠２とを固定するものである。これにより、遊技操作部ユニット体４９を外枠２に接続固定することが可能となる。
【００４４】
<第三実施形態例>
さらに、別の構成のスロットマシン１ａが提案される。なお、上述の実施形態例と共通する構成については同じ符号を付し、説明を簡略する。
【００４５】
すなわち、図１０に示されるように、遊技操作部ユニット体４９ａの両側縁のうち、右側縁にのみ連結腕部５５’が後方突設されると共に、左側縁が、外枠２に軸支される構成である。
【００４６】
さらに詳述すると、図９，１０に示されるように、遊技機本体３の前面側には、窓口４７を有する前枠４ａと、ストップボタン４３〜４５等を有する遊技操作部ユニット体４９ａと、補助貯留皿１４が一体成形されてなる下皿部材３１とが、上から順に外枠２に対して開閉可能に設けられる。
【００４７】
かかる構成にあって、外枠２の左側縁には、上から順に最上段ヒンジ部材９ａ、中上段ヒンジ部材９ｂ、中下段ヒンジ部材９ｃ、及び最下段ヒンジ部材９ｄが配設されている。一方、前枠４ａ及び下皿部材３１の左側縁には、各ヒンジ部材９ａ〜９ｄの対応部材が配設され、遊技操作部ユニット体４９ａの左側縁には、後述の開閉軸棒８６が鉛直方向に挿通される軸孔８７が形成されている。
【００４８】
そして、かかる構成にあって、前枠４ａが、最上段ヒンジ部材９ａと中上段ヒンジ部材９ｂとを介して外枠２に接続され、また、下皿部材３１が、中下段ヒンジ部材９ｃと最下段ヒンジ部材９ｄとを介して外枠２に接続される。さらに、中上段ヒンジ部材９ｂと中下段ヒンジ部材９ｃとに挿通される開閉軸棒８６を開閉軸として、遊技操作部ユニット体４９ａが、前枠４と下皿部材３１との間で外枠２に接続される。ここで、中上段ヒンジ部材９ｂは、前枠４ａと遊技操作部ユニット体４９ａとに共用され、中下段ヒンジ部材９ｃは、遊技操作部ユニット体４９ａと下皿部材３１とに共用されている。これにより、各部材４ａ，４９ａ，３１が外枠２に対して開閉可能となる。
【００４９】
また、外枠２の右側縁のほぼ中央には、Ｌ字型案内部材８９，８９を上下に対設させ、前枠４ａ、遊技操作部ユニット体４９ａ、及び下皿部材３１を遮閉状態とした際に、各部材４ａ，４９ａ，３１が、それぞれ上段、中段、及び下段に確実に収まるように位置規定するようにしている。
【００５０】
一方、遊技操作部ユニット体４９ａの右側縁からはフック付き連結腕部５５’が後方に突設されている。このフック付き連結腕部５５’は、その先端にフック片５５ａを具備する施錠機構を備えている。なお、この施錠機構は周知技術が好適に採用される。
【００５１】
施錠機構を以下に簡略して説明する。
かかる施錠機構は、シリンダ９５と、Ｔ字状連結板９７と、フック片５５ｄと、係止突起５５ｃ（図１１，１２参照）とで主に構成されている。
【００５２】
図１１，１２に示されるように、遊技操作部ユニット体４９ａの正面には、鍵穴９０が形成されており、遊技操作部ユニット体４９ａの内部には、前記鍵穴９０に連成するシリンダ９５が配設されている。さらに、このシリンダ９５の先端には、直角状に作用部９６が形成され、この作用部９６がＴ字状連結板９７の中央口９７ａに遊嵌されて相互が連繋している。また、このＴ字状連結板９７は、遊技者側に前方突出する突出部９８を備えると共に、この突出部９８と遊技操作部ユニット体４９ａの内側天井面から垂下した留め具９２とに、引張ばね９１が取り付けられている。
【００５３】
さらに、Ｔ字状連結板９７の上下端には、フック片５５ｄの基端５８が基端支持点９９で回動可能に軸支される。また、Ｔ字状連結板９７の直後方位置には、遊技操作部ユニット体４９ａの壁面から回り込むようにしてフック傾動用支持部９４，９４が上下に形成され、フック片５５ｄの中央が中央支持点９３でこのフック傾動用支持部９４に回動可能に軸支される。
【００５４】
かかる構成にあって、遊技操作部ユニット体４９ａを遮閉するときは、遊技操作部ユニット体４９ａを、下皿部材３１の上縁に左右方向に設けられたストッパー３２に当接する位置まで手押し、その位置で鍵穴９０を介してシリンダ９５を反時計回りに回転させる。これにより、作用部９６が所定角度範囲内で反時計回りに回動し、これに伴ってＴ字状連結板９７が上昇する。そして、フック片５５ｄが中央支持点９３を支点にして下方傾動して、外枠２に中央向きに設けられた係止突起５５ｃに係合する。
【００５５】
これにより、遊技操作部ユニット体４９ａが外枠２に係合され、遮閉されることとなる。
【００５６】
なお、第一から第三の実施形態例は、本発明の主旨に逸脱しない限り、様々な態様が提案され得る。例えば、窓口４７、貫通装着口４６、及び貫通口５６は、四方が囲繞された構成であっても良いし、一部側方に開放した構成であっても良い。
【図面の簡単な説明】
【００５７】
【図１】スロットマシン１の正面図である。
【図２】スロットマシン１の平面図である。
【図３】スロットマシン１の分解斜視図である。
【図４】図１のＡ−Ａ断面図である。
【図５】図４のＢ部の拡大図である。
【図６】球取込装置３５、球整列溝８２、及び取込口８５の配置関係を示す縦断正面図である。
【図７】球取込装置３５、球整列溝８２、及び取込口８５の配置関係を示す縦断側面図である。
【図８】第二実施形態例にかかるスロットマシン１の横断平面図である。
【図９】第三実施形態例にかかるスロットマシン１ａの正面図である。
【図１０】第三実施形態例にかかるスロットマシン１ａの分解斜視図である。
【図１１】図９のＡ’−Ａ’断面図である。
【図１２】図１１のＣ−Ｃ断面図である。
【符号の説明】
【００５８】
１，１ａ  スロットマシン
２  外枠
３  遊技機本体
４，４ａ  前枠
５  裏機構板
８  貯留皿
９ｂ  中上段ヒンジ部材
９ｃ  中下段ヒンジ部材
１２ａ，１２ｂ，１２ｃ  回転ドラム
４１  スタートレバー
４２  ベットボタン
４３，４４，４５  ストップボタン
４６  貫通装着口
４７  窓口
４９，４９ａ  遊技操作部ユニット体
５５  ，５５’弾性連結腕部
５５ａ  係合爪
５６  貫通口
【図１】
2006020764.tif 000003
【図２】
2006020764.tif 000004
【図３】
2006020764.tif 000005
【図４】
2006020764.tif 000006
【図５】
2006020764.tif 000007
【図６】
2006020764.tif 000008
【図７】
2006020764.tif 000009
【図８】
2006020764.tif 000010
【図９】
2006020764.tif 000011
【図１０】
2006020764.tif 000012
【図１１】
2006020764.tif 000013
【図１２】
2006020764.tif 000014